(57)【要約】【課題】二次電池を過放電から保護するべく放電禁止の状態を維持する際に、回路の消費電力を可及的に低減する。【解決手段】負荷側に接続される一対の出力端子Ｔ１，Ｔ２の間で二次電池ＲＢと直列に接続された第１のスイッチング素子ＦＳと、過放電状態にあると検出されたときに第１のスイッチング素子ＦＳをオフ状態とする第２のスイッチング素子ＳＳとが備えられた二次電池の過放電保護回路において、第１のスイッチング素子ＦＳよりも出力端子側の電位に基づいて切換えられる第３のスイッチング素子ＴＳと、第２のスイッチング素子ＳＳが第１のスイッチング素子ＦＳをオフ状態とさせるための通電経路の途中に配置された第４のスイッチング素子ＹＳとが備えられ、第３のスイッチング素子ＴＳは、オン状態からオフ状態へ移行するに伴って第１のスイッチング素子ＦＳと第４のスイッチング素子ＹＳとをオフ状態とする。【選択図】図１
2007103309.tif 000002
【特許請求の範囲】
【請求項１】
負荷側に接続される一対の出力端子の間で二次電池と直列に接続されて二次電池の出力を禁止するオフ状態と許容するオン状態とに切換えられる第１のスイッチング素子と、前記二次電池の出力によって前記二次電池が過放電状態にあるか否かを検出する過放電検出回路と、前記過放電検出回路が出力する前記過放電状態の検出信号に基づいてオン状態とオフ状態とに切換えられて前記過放電状態にあると検出されたときに前記第１のスイッチング素子をオフ状態とする第２のスイッチング素子とが備えられた二次電池の過放電保護回路であって、
前記第１のスイッチング素子がオン状態ではオン状態となり且つ前記第１のスイッチング素子がオン状態からオフ状態へ移行するに伴ってオン状態からオフ状態に移行するように前記第１のスイッチング素子よりも前記出力端子側の電位に基づいて切換えられる第３のスイッチング素子が備えられ、
前記第２のスイッチング素子が前記第１のスイッチング素子をオフ状態とさせるための通電経路の途中にその通電経路の通電を許容するオン状態と禁止するオフ状態とに切換えられる第４のスイッチング素子が備えられ、
前記第３のスイッチング素子は、オン状態からオフ状態へ移行するに伴って前記第１のスイッチング素子と前記第４のスイッチング素子とをオフ状態とするように接続されて構成されている二次電池の過放電保護回路。
【請求項２】
前記第２のスイッチング素子は、バイポーラトランジスタにて構成され、
前記第２のスイッチング素子がオン状態のときに前記第１のスイッチング素子をオフ状態とするように構成され、
前記第４のスイッチング素子は、前記第２のスイッチング素子のベース電流の通電経路に配置されている請求項１記載の二次電池の過放電保護回路。
【発明の詳細な説明】
【技術分野】
【０００１】
本発明は、負荷側に接続される一対の出力端子の間で二次電池と直列に接続されて二次電池の出力を禁止するオフ状態と許容するオン状態とに切換えられる第１のスイッチング素子と、前記二次電池の出力によって前記二次電池が過放電状態にあるか否かを検出する過放電検出回路と、前記過放電検出回路が出力する前記過放電状態の検出信号に基づいてオン状態とオフ状態とに切換えられて前記過放電状態にあると検出されたときに前記第１のスイッチング素子をオフ状態とする第２のスイッチング素子とが備えられた二次電池の過放電保護回路に関する。
【背景技術】
【０００２】
かかる二次電池の過放電保護回路は、二次電池が過放電状態となると二次電池を劣化させてしまうことから、二次電池が過放電状態で放電を継続してしまうのを阻止するための回路である。
かかる過放電保護回路は、例えば、下記特許文献１に記載のように、二次電池の出力電圧が設定電圧よりも低下して過放電状態になっていることを検出すると、スイッチング素子をオフ状態として二次電池からの放電を禁止する構成が考えられている。
【特許文献１】特開２００１−５７７４３号公報
【発明の開示】
【発明が解決しようとする課題】
【０００３】
しかしながら、上記従来構成では、二次電池の過放電からの保護が必ずしも十分ではなかった。
すなわち、二次電池は、出力電圧が低下して過放電状態と検出され、一旦放電が禁止されても、負荷側と切断されることによって出力電圧が回復してしまう性質を有する。
この出力電圧の回復にともなって過放電状態ではないと判断されると、二次電池からの放電が再開されてしまい、以降は、放電の禁止と再開と繰り返すことになる。
この放電の禁止と再開とを繰り返してしまうことによって、せっかく過放電からの保護のための回路を備えているにも拘わらず二次電池を劣化させてしまうことになる。
このため、二次電池が一旦放電禁止の状態に移行すると、二次電池の出力電圧が回復しても放電禁止の状態を維持させる回路を備えることも考えられている。
ところが、過放電保護回路の構成態様によっては、二次電池を放電禁止の状態に維持する際に過放電保護回路内で電力が消費される場合があり、このような電力は二次電池から供給される。
二次電池を放電禁止の状態に維持するための電力は、わずかではあっても二次電池を放電させるので、放電の進行した二次電池に悪影響を及ぼす場合もある。
本発明は、かかる実情に鑑みてなされたものであって、その目的は、二次電池を過放電から保護するべく放電禁止の状態を維持する際に、回路の消費電力を可及的に低減する点にある。
【課題を解決するための手段】
【０００４】
本出願の第１の発明は、負荷側に接続される一対の出力端子の間で二次電池と直列に接続されて二次電池の出力を禁止するオフ状態と許容するオン状態とに切換えられる第１のスイッチング素子と、前記二次電池の出力によって前記二次電池が過放電状態にあるか否かを検出する過放電検出回路と、前記過放電検出回路が出力する前記過放電状態の検出信号に基づいてオン状態とオフ状態とに切換えられて前記過放電状態にあると検出されたときに前記第１のスイッチング素子をオフ状態とする第２のスイッチング素子とが備えられた二次電池の過放電保護回路において、前記第１のスイッチング素子がオン状態ではオン状態となり且つ前記第１のスイッチング素子がオン状態からオフ状態へ移行するに伴ってオン状態からオフ状態に移行するように前記第１のスイッチング素子よりも前記出力端子側の電位に基づいて切換えられる第３のスイッチング素子が備えられ、前記第２のスイッチング素子が前記第１のスイッチング素子をオフ状態とさせるための通電経路の途中にその通電経路の通電を許容するオン状態と禁止するオフ状態とに切換えられる第４のスイッチング素子が備えられ、前記第３のスイッチング素子は、オン状態からオフ状態へ移行するに伴って前記第１のスイッチング素子と前記第４のスイッチング素子とをオフ状態とするように接続されて構成されている。
【０００５】
すなわち、過放電検出回路が例えば二次電池の出力電圧の低下等により過放電状態にあることを検出して、その検出信号が第２のスイッチング素子に入力されると、第２のスイッチング素子は第１のスイッチング素子をオフ状態として、二次電池の放電を禁止する。
第１のスイッチング素子がオン状態からオフ状態へ移行すると第３のスイッチング素子がオフ状態に移行し、第３のスイッチング素子がオフ状態になると第１のスイッチング素子をオフさせる状態となる。
このように第３のスイッチング素子が第１のスイッチング素子をオフ状態に維持させているので、放電停止によって二次電池の出力電圧が回復して、過放電検出回路が放電を禁止する信号を解除して第２のスイッチング素子が第１のスイッチング素子をオン状態への移行を許容する信号を出力したとしても、第１のスイッチング素子がオン状態となることはなく、第１のスイッチング素子がオフ状態のままであるので第３のスイッチング素子がオン状態となることもなく、放電禁止の状態が維持される。
【０００６】
但し、このままでは、この放電禁止が維持されている状態での消費電力が問題となる。
すなわち、放電禁止が維持されている状態では、第１のスイッチング素子や第３のスイッチング素子はオフ状態を維持するので低消費電力化が極めて容易であるのに対して、第２のスイッチング素子は、過放電検出回路の検出信号に基づいてオン状態とオフ状態とに切換えられる動作を継続することになり、その動作で消費される電力を二次電池が放電することになってしまう。
そこで、第２のスイッチング素子が第１のスイッチング素子をオフ状態とさせるための通電経路の途中にその通電経路の通電を許容するオン状態と禁止するオフ状態とに切換えられる第４のスイッチング素子を配置すると共に、その第４のスイッチング素子のオンオフの制御を第３のスイッチング素子に委ねて、第３のスイッチング素子が第１のスイッチング素子をオフ状態に維持させるのと連動して第４のスイッチング素子をもオフ状態としてしまう。
これによって、過放電検出回路の検出情報に基づいて第１のスイッチング素子をオフ状態とする動作は機能しなくなり、それだけ放電禁止の状態が維持されている状態の消費電力を低減することになる。
もちろん、この動作が機能しなくても、この時点では、第３のスイッチング素子によって第１のスイッチング素子をオフ状態に維持しているので全く問題はない。
【０００７】
又、本出願の第２の発明は、上記第１の発明の構成に加えて、前記第２のスイッチング素子は、バイポーラトランジスタにて構成され、前記第２のスイッチング素子がオン状態のときに前記第１のスイッチング素子をオフ状態とするように構成され、前記第４のスイッチング素子は、前記第２のスイッチング素子のベース電流の通電経路に配置されている。
すなわち、過放電検出回路からの検出信号を受入れる第２のスイッチング素子をＭＯＳＦＥＴ等のＦＥＴにて構成したのでは、二次電池の負荷である電気機器側で発生するノイズによって誤動作し、的確な放電禁止動作を行えない場合がある。
このような誤動作を防止するためには、ゲート−ソース間にコンデンサを接続することになるが、それでは実用上十分な応答速度を得ることが困難となってしまう。
そこで、第２のスイッチング素子をノイズ耐性の良好なバイポーラトランジスタとしている。
ところが、第２のスイッチング素子をバイポーラトランジスタとして、第２のスイッチング素子がオン状態で第１のスイッチング素子がオフ状態になるようにすると、第１のスイッチング素子をオフ状態とする間、第２のスイッチング素子にはベース電流が流れ続けて二次電池の電力を消費してしまうことになる。
このような場合に、上述の第４のスイッチング素子を備えて第２のスイッチング素子に流れる電流を阻止して消費電力の低減を図ることが特に有効となる。
【発明の効果】
【０００８】
上記第１の発明によれば、第３のスイッチング素子が第１のスイッチング素子をオフ状態として放電禁止が維持される状態となると、第２のスイッチング素子が第１のスイッチング素子をオフ状態とするための通電経路を切って消費電力を抑制するので、二次電池を過放電から保護するべく放電禁止の状態を維持する際に、回路の消費電力を可及的に低減できるに至った。
又、上記第２の発明によれば、第２のスイッチング素子をバイポーラトランジスタとして回路動作の安定化を図りながらも、回路の消費電力を低減することができる。
【発明を実施するための最良の形態】
【０００９】
以下、本発明の二次電池の過放電保護回路の実施の形態を図面に基づいて説明する。
本実施の形態の二次電池の過放電保護回路は、図１に示すように、二次電池ＲＢとして３個のリチウムイオン電池の電池セルＣ１，Ｃ２，Ｃ３を直列接続して構成した組電池を保護の対象としており、二次電池ＲＢを収納する電池パックＢＰに、過放電保護回路ＧＣが内蔵されている。
この電池パックＢＰは、二次電池ＲＢに対する負荷である各種の電気機器に取付けられて、負荷と接続する一対の出力端子Ｔ１，Ｔ２から負荷側へ電力が供給される。
【００１０】
〔電池パックＢＰ側の回路構成〕
過放電保護回路ＧＣは、二次電池ＲＢの各電池セルＣ１，Ｃ２，Ｃ３毎に、各電池セルＣ１，Ｃ２，Ｃ３が過放電状態にあるか否かを検出する過放電検出回路１と、前記一対の出力端子Ｔ１，Ｔ２の間で二次電池ＲＢと直列に接続されて二次電池ＲＢの出力を禁止するオフ状態と許容するオン状態とに切換えられる第１のスイッチング素子ＦＳと、過放電検出回路１が出力する過放電状態の検出信号に基づいてオン状態とオフ状態とに切換えられて前記過放電状態にあると検出されたときに第１のスイッチング素子ＦＳをオフ状態とする第２のスイッチング素子ＳＳと、第１のスイッチング素子ＦＳが一旦オフ状態となったときに、第１のスイッチング素子ＦＳをそのオフ状態に維持するための第３のスイッチング素子ＴＳと、第２のスイッチング素子ＳＳが第１のスイッチング素子ＦＳをオフ状態とさせるための通電経路の途中に配置されてその通電経路の通電を許容するオン状態と禁止するオフ状態とに切換えられる第４のスイッチング素子ＹＳとを主要部として構成されている。
本実施の形態では、第１のスイッチング素子ＦＳは、一対の出力端子Ｔ１，Ｔ２のうちの−側の出力端子Ｔ２に近い側に配置されている。
【００１１】
各電池セルＣ１，Ｃ２，Ｃ３に対応する過放電検出回路１は何れも同一構成であり、本実施の形態では、各電池セルＣ１，Ｃ２，Ｃ３の出力電圧が設定電圧以下となったときに過放電状態に至ったものと検出している。
各過放電検出回路１には、電池セルＣ１，Ｃ２，Ｃ３の電圧が設定電圧以下となったことを検出する電圧検出回路１１と、電圧検出回路１１によってオン状態とオフ状態とに切換えられるＭＯＳＦＥＴ１２とを主要部として構成されている。
本実施の形態では、第２のスイッチング素子ＳＳはバイポーラトランジスタにて構成され、第１のスイッチング素子ＦＳ，第３のスイッチング素子ＴＳ及び第４のスイッチング素子ＹＳはＦＥＴ（より具体的にはＭＯＳＦＥＴ）にて構成されている。
ここで、第２のスイッチング素子ＳＳのみをバイポーラトランジスタにて構成しているのは、この第２のスイッチング素子ＳＳをＦＥＴにて構成したのでは、電気機器側で発生するノイズによって誤動作し、的確な放電禁止動作を行えないからである。
ちなみに、この第２のスイッチング素子ＳＳをＭＯＳＦＥＴ等のＦＥＴにて構成しても、ゲート−ソース間にコンデンサを接続することで、ノイズによる誤動作を防ぐことが可能ではあるが、実用上で十分な応答速度を得ることが困難となってしまう。
各電圧検出回路１１のＭＯＳＦＥＴ１２のドレイン側は、抵抗１３及びダイオード１４を経て一本の信号線にまとめられ、第２のスイッチング素子ＳＳのベースに入力されている。
電池パックＢＰが負荷の電気機器に正常に電圧を供給している状態では、各過放電検出回路１のＭＯＳＦＥＴ１２はオフ状態であるので、第２のスイッチング素子ＳＳもオフ状態となっている。
【００１２】
第３のスイッチング素子ＴＳは、第１のスイッチング素子ＦＳの存在側とは反対側の出力端子（図１の回路では＋側の出力端子Ｔ１）と第１のスイッチング素子ＦＳのオンオフ制御用の入力であるゲートとの間に抵抗１７を介して接続されている。
第３のスイッチング素子のオンオフ制御用の入力であるゲートは、抵抗１５を介して、第１のスイッチング素子ＦＳよりも出力端子側（図１の回路では−の出力端子Ｔ２側）に接続され、更に、第３のスイッチング素子ＴＳのゲートは抵抗１６を介して二次電池ＲＢの＋側に接続されている。
これによって、第３のスイッチング素子ＴＳは、第１のスイッチング素子ＦＳよりも出力端子側（図１の回路では−の出力端子Ｔ２側）の電位に基づいてオン状態とオフ状態とに切換えられ、第１のスイッチング素子ＦＳがオン状態にあるときは、抵抗１６と抵抗１５との比率で決まる電圧が第３のスイッチング素子ＴＳのゲート−ソース間に印加され、第３のスイッチング素子ＴＳはオン状態となり、第１のスイッチング素子ＦＳがオン状態からオフ状態へ移行すると、第１のスイッチング素子ＦＳよりも出力端子側（図１の回路では−の出力端子Ｔ２側）の電位が二次電池ＲＢの−側から切り離されて、第３のスイッチング素子ＴＳはオン状態からオフ状態へ移行する。
【００１３】
第１のスイッチング素子ＦＳのゲートには、第２のスイッチング素子ＳＳのコレクタが抵抗１８を介して接続され、更に、抵抗１９を介して二次電池ＲＢの−側に接続されている。
従って、第１のスイッチング素子ＦＳは、第３のスイッチング素子ＴＳがオン状態のときは、抵抗１７と抵抗１９との比率によって決まる電圧がゲート−ソース間に印加されてオン状態となり、第３のスイッチング素子ＴＳがオフ状態になるとゲート−ソース間に印加される電圧が低下してオフ状態となる。
又、第２のスイッチング素子ＳＳのエミッタは、第４のスイッチング素子ＹＳのドレイン側に接続され、第４のスイッチング素子ＹＳのソース端子は二次電池ＲＢの−側に接続されている。
第４のスイッチング素子のオンオフ制御用の入力であるゲートは、抵抗２０を介して二次電池ＲＢの−側に接続され、更に、抵抗２１を介して第３のスイッチング素子ＴＳのドレイン側に接続されている。換言すると、第３のスイッチング素子ＴＳは、第１のスイッチング素子ＦＳの存在側とは反対側の出力端子（図１の回路では＋側の出力端子Ｔ１）と第４のスイッチング素子ＹＳのゲートとの間に抵抗２１を介して接続されていることにもなっている。
【００１４】
第１のスイッチング素子ＦＳのソースと第４のスイッチング素子ＹＳのソースとは何れも二次電池ＲＢの−側に接続されているので、第３のスイッチング素子ＴＳは、第１のスイッチング素子ＦＳと第４のスイッチング素子ＹＳとの双方に対して全く同じオンオフ制御を行うことになり、第３のスイッチング素子ＴＳがオン状態からオフ状態へ移行すると、第４のスイッチング素子ＹＳもオン状態からオフ状態へ移行する。
第４のスイッチング素子ＹＳがオン状態のときに、第２のスイッチング素子ＳＳがオン状態となると、抵抗１８及び抵抗１９にかかる電圧では、第１のスイッチング素子ＦＳをオフ状態とするようにこれらの抵抗値が設定されているので、第１のスイッチング素子ＦＳはオフ状態となる。
従って、第１のスイッチング素子ＦＳは、第２のスイッチング素子ＳＳがオン状態となるか、あるいは、第３のスイッチング素子ＴＳがオフ状態となるかの何れか一方によってオフ状態となる。すなわち、第２のスイッチング素子ＳＳあるいは第３のスイッチング素子ＴＳのいずれか一方でも、第１のスイッチング素子ＦＳに対してオフ指令を出力すると第１のスイッチング素子ＦＳがオフ状態となる。
【００１５】
〔放電禁止時の回路の動作〕
次ぎに、図１の回路の過放電保護の動作について説明する。
電圧検出回路１１は、電池セルＣ１，Ｃ２，Ｃ３の電圧が設定電圧以下となったとき、ＭＯＳＦＥＴ１２のゲート電圧を低下させてＭＯＳＦＥＴ１２をオフ状態からオン状態へ移行させる。
これに伴って、＋側の出力端子Ｔ１の電圧が抵抗１３及びダイオード１４を経て出力され、第２のスイッチング素子ＳＳがオン状態となる。すなわち、電池セルＣ１，Ｃ２，Ｃ３の何れか一つでも設定電圧以下になると、第２のスイッチング素子ＳＳがオン状態となる。
【００１６】
これに伴って、上述のように第１のスイッチング素子ＦＳがオフ状態となる。
第１のスイッチング素子ＦＳがオフ状態となると、第３のスイッチング素子ＴＳのゲートが二次電池ＲＢの−側から切り離され、抵抗１６の作用によってゲート電位が上昇し、第３のスイッチング素子ＴＳがオフ状態となる。
第３のスイッチング素子ＴＳは、第１のスイッチング素子ＦＳがオン状態とならない限りオン状態とならず、更に、上述のように、第１のスイッチング素子ＦＳは、第２のスイッチング素子ＳＳ又は第３のスイッチング素子ＴＳのいずれか一方でも第１のスイッチング素子ＦＳに対してオフ指令を出力するときにオフ状態となるので、第１のスイッチング素子ＦＳはオン状態に復帰することなくオフ状態すなわち放電禁止の状態を維持する。
【００１７】
第３のスイッチング素子ＴＳは、オン状態からオフ状態へ移行するのに伴って、第１のスイッチング素子ＦＳをオフ状態にさせるのと並行して、第４のスイッチング素子ＹＳをもオフ状態とする。
第４のスイッチング素子ＹＳは、第２のスイッチング素子ＳＳのベース電流の通電経路に配置されているので、過放電検出回路１が第２のスイッチング素子ＳＳをオン状態とするように制御しても、第４のスイッチング素子ＹＳによって阻止されて第２のスイッチング素子ＳＳにベース電流は流れない。
【００１８】
〔放電禁止の維持状態を解除するための構成と動作〕
次ぎに、放電禁止の維持状態を解除するための構成とその動作について説明する。
放電禁止の維持状態を解除するには、第３のスイッチング素子ＴＳをオン状態とする必要があるが、このために、第１のスイッチング素子ＦＳをオン状態とするのに相当する状態を作り出す。
このための構成として、電池パックＢＰは、前記一対の出力端子Ｔ１，Ｔ２とは別に、第１のスイッチング素子ＦＳよりも二次電池ＲＢ側（すなわち、本実施の形態では、二次電池ＲＢの−側）に接続された制御端子Ｔ３を備えている。
この制御端子Ｔ３と、一対の出力端子Ｔ１，Ｔ２のうちの第１のスイッチング素子ＦＳに近い側の出力端子（本実施の形態では、−側の出力端子Ｔ２）とを外部回路によって電気的に接続することで、第３のスイッチング素子ＴＳのゲートを二次電池ＲＢの−側に接続する。
【００１９】
制御端子Ｔ３と出力端子Ｔ２を接続するための回路は、図２に示すように、電池パックＢＰを充電するための充電器ＣＨに備えられている。
充電器ＣＨには、電気機器から取外した電池パックＢＰの一対の出力端子Ｔ１，Ｔ２に接続する充電端子Ｔ４，Ｔ５と、電池パックＢＰの制御端子Ｔ３に接続する解除用端子Ｔ６とが備えられ、更に、一対の出力端子Ｔ１，Ｔ２のうちの第１のスイッチング素子ＦＳに近い側の出力端子である−側の出力端子Ｔ２に接続する−側の充電端子Ｔ５と解除用端子Ｔ６とを電気的に接続するための接続手段であるスイッチ３１と、スイッチ３１のオンオフを制御する解除回路制御部３２と、一対の充電端子Ｔ４，Ｔ５に充電用電力を供給する充電回路３３とが備えられている。
【００２０】
充電回路３３には、例えば電源プラグ３４を商用電力の供給を受けるためのコンセントに差し込んで通電が開始されたことを検出すること等により充電開始を検出する充電開始検出回路３３ａが備えられており、この充電開始検出回路３３ａが充電の開始を検出すると、その検出信号が解除回路制御部３２へ伝達され、解除回路制御部３２は、スイッチ３１をオン状態とする。
これによって、電池パックＢＰ側では、第３のスイッチング素子ＴＳのゲートが抵抗１５を介して二次電池ＲＢの−側に接続され、第１のスイッチング素子ＦＳがオン状態になったのと同等の状態となって、第３のスイッチング素子がオン状態へ移行する。
この時点では、放電禁止の状態を維持することによって、二次電池ＲＢの出力電圧は多少回復しており、第２のスイッチング素子ＳＳがオフ状態となっているので、第３のスイッチング素子ＴＳがオン状態に移行するに伴って第１のスイッチング素子ＦＳがオン状態に移行して、放電禁止の維持状態が解除される。第３のスイッチング素子ＴＳは、これと並行して、第４のスイッチング素子ＹＳもオン状態とする。
【００２１】
二次電池ＲＢへの充電動作自体は、第１のスイッチング素子ＦＳがオン状態とならなくても、第１のスイッチング素子ＦＳの寄生ダイオードを経て充電することが可能であるが、このように第１のスイッチング素子ＦＳを確実にオン状態として充電動作を行うことで、第１のスイッチング素子ＦＳの寄生ダイオードに過度な負荷をかけることなく充電を行うことができる。
しかも、電池パックＢＰと充電器ＣＨとを接続していても、電源プラグ３４をコンセントに差し込んでいないような充電開始前の状態では、二次電池ＲＢの放電禁止の状態が維持されて、二次電池ＲＢをより確実に保護することになっている。
【００２２】
〔別実施形態〕
以下、本発明の別実施形態を列記する。
（１）上記実施の形態では、二次電池ＲＢとして電池セルＣ１，Ｃ２，Ｃ３を３個直列接続したものを例示して説明しているが、電池セルの個数や接続形態は種々に変更可能である。
（２）上記実施の形態では、過放電検出回路１が各電池セルＣ１，Ｃ２，Ｃ３毎に過放電状態か否かを検出する場合を例示しているが、過放電検出回路１が、各電池セルＣ１，Ｃ２，Ｃ３毎ではなく、二次電池ＲＢ全体としてまとめて過放電状態か否かを検出するように構成しても良い。
この場合、前記第４のスイッチング素子ＹＳの配置位置としては、過放電検出回路１へ動作電圧を供給する配線の途中に配置しても良い。
このような配線も、第２のスイッチング素子ＳＳが第１のスイッチング素子ＦＳをオフ状態とさせるための通電経路であり、この通電経路を第４のスイッチング素子ＹＳにて遮断することで、第２のスイッチング素子ＳＳが第１のスイッチング素子ＦＳをオフ状態とする機能を停止させて消費電力の低減を図れる。
このように、第４のスイッチング素子ＹＳを配置する位置は、第２のスイッチング素子ＳＳと第１のスイッチング素子ＦＳとの間の途中箇所に限らず、種々に変更可能である。
【図面の簡単な説明】
【００２３】
【図１】本発明の実施の形態にかかる電池パックの回路図
【図２】本発明の実施の形態にかかる充電器のブロック構成図
【符号の説明】
【００２４】
ＦＳ        第１のスイッチング素子
ＲＢ        二次電池
ＳＳ        第２のスイッチング素子
ＴＳ        第３のスイッチング素子
Ｔ１，Ｔ２  出力端子
ＹＳ        第４のスイッチング素子
１          過放電検出回路
【図１】
2007103309.tif 000003
【図２】
2007103309.tif 000004